(57)【要約】【課題】長尺異物をより確実に切断することができるエレベータ長尺異物切断装置を得る。【解決手段】切断位置と収納位置との間で変位する上部切断部１１１と、切断位置と収納位置との間で変位し、上部切断部１１１よりも下方に配置される下部切断部１１２と、かごドア２２Ａの位置が閉位置である場合に上部切断部１１１の位置を切断位置とし、かごドア２２Ａの位置が開位置である場合に上部切断部１１１の位置を収納位置とする上部駆動部１２１と、かごドア２２Ａの位置が閉位置である場合に下部切断部１１２の位置を切断位置とし、かごドア２２Ａの位置が開位置である場合に下部切断部１１２の位置を収納位置とする下部駆動部１２２とを備え、上部切断部１１１は、かごが下降することによって長尺異物３を切断し、下部切断部１１２は、かごが上昇することによって長尺異物３を切断する。【選択図】図１
2017190217.tif 000002
【特許請求の範囲】
【請求項１】
エレベータドアと前記エレベータドアの位置が閉位置である場合に前記エレベータドアに対して戸閉方向に隣り合う隣接部材との間に挟まれた長尺異物を切断するエレベータ長尺異物切断装置であって、
前記エレベータドアの戸閉方向端部から前記戸閉方向に突出する切断位置と前記戸閉方向端部よりも戸開方向に配置される収納位置との間で変位する上部切断部と、
前記戸閉方向端部から前記戸閉方向に突出する切断位置と前記戸閉方向端部よりも前記戸開方向に配置される収納位置との間で変位し、前記上部切断部よりも下方に配置される下部切断部と、
前記エレベータドアの位置が前記閉位置である場合に前記上部切断部の位置を前記切断位置とし、前記エレベータドアの位置が開位置である場合に前記上部切断部の位置を前記収納位置とする上部駆動部と、
前記エレベータドアの位置が前記閉位置である場合に前記下部切断部の位置を前記切断位置とし、前記エレベータドアの位置が前記開位置である場合に前記下部切断部の位置を前記収納位置とする下部駆動部と
を備え、
前記上部切断部は、かごが下降することによって前記長尺異物を切断し、
前記下部切断部は、前記かごが上昇することによって前記長尺異物を切断するエレベータ長尺異物切断装置。
【請求項２】
前記上部駆動部は、前記エレベータドアが前記閉位置と前記開位置との間で変位する動力を用いて、前記上部切断部を変位させる請求項１に記載のエレベータ長尺異物切断装置。
【請求項３】
前記下部駆動部は、前記エレベータドアが前記閉位置と前記開位置との間で変位する動力を用いて、前記下部切断部を変位させる請求項１または請求項２に記載のエレベータ長尺異物切断装置。
【請求項４】
前記上部切断部は、前記上部切断部の位置が前記切断位置である場合に上方に向かうにつれて前記間口方向の寸法が狭くなる上方狭小スリットが下端部から上方に延びて形成される上部刃支持部と、前記上部切断部の位置が前記切断位置である場合に前記上方狭小スリットの上部に配置される上部刃とを有している請求項１から請求項３までの何れか一項に記載のエレベータ長尺異物切断装置。
【請求項５】
前記下部切断部は、前記下部切断部の位置が前記切断位置である場合に下方に向かうにつれて前記間口方向の寸法が狭くなる下方狭小スリットが上端部から下方に延びて形成される下部刃支持部と、前記下部切断部の位置が前記切断位置である場合に前記下方狭小スリットの下部に配置される下部刃とを有している請求項１から請求項４までの何れか一項に記載のエレベータ長尺異物切断装置。
【発明の詳細な説明】
【技術分野】
【０００１】
この発明は、エレベータドア装置に挟まれた長尺異物を切断するエレベータ長尺異物切断装置に関する。
【背景技術】
【０００２】
従来、エレベータ出入口を開閉する一対のエレベータドアのそれぞれの下端部であって戸閉方向端部に設けられ、敷居溝に挿入される一対の刃を備え、それぞれのエレベータドアが開位置から閉位置に変位する場合に、一対のエレベータドアの下端部に挟まれた長尺異物を切断するエレベータ長尺異物切断装置が知られている（例えば、特許文献１参照）。
【先行技術文献】
【特許文献】
【０００３】
【特許文献１】特開２０１１−２０８２３号公報
【発明の概要】
【発明が解決しようとする課題】
【０００４】
しかしながら、長尺異物がエレベータドアの下端部以外の部分に挟まれた場合には、長尺異物を切断することができないという問題点があった。
【０００５】
この発明は、長尺異物をより確実に切断することができるエレベータ長尺異物切断装置を提供するものである。
【課題を解決するための手段】
【０００６】
この発明に係るエレベータ長尺異物切断装置は、エレベータドアとエレベータドアの位置が閉位置である場合にエレベータドアに対して戸閉方向に隣り合う隣接部材との間に挟まれた長尺異物を切断するエレベータ長尺異物切断装置であって、エレベータドアの戸閉方向端部から戸閉方向に突出する切断位置と戸閉方向端部よりも戸開方向に配置される収納位置との間で変位する上部切断部と、戸閉方向端部から戸閉方向に突出する切断位置と戸閉方向端部よりも戸開方向に配置される収納位置との間で変位し、上部切断部よりも下方に配置される下部切断部と、エレベータドアの位置が閉位置である場合に上部切断部の位置を切断位置とし、エレベータドアの位置が開位置である場合に上部切断部の位置を収納位置とする上部駆動部と、エレベータドアの位置が閉位置である場合に下部切断部の位置を切断位置とし、エレベータドアの位置が開位置である場合に下部切断部の位置を収納位置とする下部駆動部とを備え、上部切断部は、かごが下降することによって長尺異物を切断し、下部切断部は、かごが上昇することによって長尺異物を切断する。
【発明の効果】
【０００７】
この発明に係るエレベータ長尺異物切断装置によれば、エレベータドアの位置が閉位置である場合に上部切断部および下部切断部の位置が切断位置となり、上部切断部は、かごが下降することによって長尺異物を切断し、下部切断部は、かごが上昇することによって長尺異物を切断するので、長尺異物がエレベータドアの下端部以外の部分に挟まれた場合であっても長尺異物を切断することができる。これにより、長尺異物をより確実に切断することができる。
【図面の簡単な説明】
【０００８】
【図１】この発明の実施の形態１に係るエレベータ長尺異物切断装置を示す正面図である。
【図２】図１のかごドアが変位した状態を示す図である。
【図３】図１の上部切断部を示す拡大図である。
【図４】図３の上部刃が配置されている上方狭小スリットの部分の幅方向の寸法よりも長尺異物の径方向の寸法が大きい状態を示す図である。
【図５】図１の下部切断部を示す拡大図である。
【図６】図１のかごドアが下降した状態を示す図である。
【図７】図１のかごドアが上昇した状態を示す図である。
【発明を実施するための形態】
【０００９】
実施の形態１．
図１はこの発明の実施の形態１に係るエレベータ長尺異物切断装置を示す正面図である。エレベータ長尺異物切断装置１は、両開き型のエレベータドア装置２に取り付けられている。エレベータドア装置２は、かご出入口２１を開閉する一対のかごドア２２を備えている。それぞれのかごドア２２には、図示しないドア駆動装置が取り付けられている。図１では、乗場から視た場合のかごを示している。
【００１０】
ドア駆動装置が駆動することによって、一対のかごドア２２は、間口方向であって互いに反対方向に移動する。この例では、一対のかごドア２２の中の一方をかごドア２２Ａとし、他方をかごドア２２Ｂとする。かごドア２２Ｂは、かごドア２２Ａの位置が閉位置である場合にかごドア２２Ａに対して戸閉方向に隣り合う隣接部材である。エレベータ長尺異物切断装置１は、かごドア２２Ａとかごドア２２Ｂとの間に挟まれた長尺異物３を切断する。長尺異物３としては、動物に接続されたリード、縄跳びに用いられる縄などが挙げられる。
【００１１】
エレベータ長尺異物切断装置１は、かごドア２２Ａに取り付けられる切断装置１１と、切断装置１１を変位させる駆動装置１２とを備えている。切断装置１１は、かごドア２２Ａに設けられた上部切断部１１１と、上部切断部１１１よりも下方に配置され、かごドア２２Ａに設けられた下部切断部１１２とを有している。この例では、上部切断部１１１は、かごドア２２Ａの高さ方向中間部よりも上方に配置されている。下部切断部１１２は、かごドア２２Ａの高さ位置中間部よりも下方に配置されている。
【００１２】
駆動装置１２は、上部切断部１１１を変位させる上部駆動部１２１と、下部切断部１１２を変位させる下部駆動部１２２とを有している。
【００１３】
上部駆動部１２１は、一端部に上部切断部１１１が接続された第１腕部１２３と、一端部に第１腕部１２３の他端部が接続され、他端部にかごの側壁２３が接続された第２腕部１２４と、第１腕部１２３の長手方向中間部に設けられ、かごドア２２Ａに接続された回動部１２５とを有している。第１腕部１２３と第２腕部１２４との接続部分は、折曲可能となっている。第１腕部１２３は、回動部１２５を中心に回動可能となっている。
【００１４】
下部駆動部１２２は、一端部に下部切断部１１２が接続された第１腕部１２６と、一端部に第１腕部１２６の他端部が接続され、他端部にかごの側壁２３が接続された第２腕部１２７と、第１腕部１２６の長手方向中間部に設けられ、かごドア２２Ａに接続された回動部１２８とを有している。第１腕部１２６と第２腕部１２７との接続部分は、折曲可能となっている。第１腕部１２６は、回動部１２８を中心に回動可能となっている。
【００１５】
図２は図１のかごドア２２が変位した状態を示す図である。上部切断部１１１は、かごドア２２Ａの戸閉方向端部から戸閉方向に突出する切断位置と、かごドア２２Ａの戸閉方向端部よりも戸開方向に配置される収納位置との間で変位する。図１では上部切断部１１１の位置が切断位置である状態を示し、図２では上部切断部１１１の位置が収納位置である状態を示している。
【００１６】
上部駆動部１２１は、かごドア２２Ａが閉位置と開位置との間で変位することによって、第１腕部１２３が回動部１２５を中心に回動し、第２腕部１２４が側壁２３側の端部を中心に回動する。これにより、第１腕部１２３と第２腕部１２４との接続部分における折曲角度が変化し、上部切断部１１１が切断位置と収納位置との間で変位する。言い換えれば、上部駆動部１２１は、かごドア２２Ａが閉位置と開位置との間で変位することによって、上部切断部１１１を切断位置と収納位置との間で変位させる。上部駆動部１２１は、かごドア２２Ａの位置が閉位置である場合に上部切断部１１１の位置を切断位置とし、かごドア２２Ａの位置が開位置である場合に上部切断部１１１の位置を収納位置とする。上部駆動部１２１は、かごドア２２Ａが閉位置と開位置との間で変位する動力を用いて、上部切断部１１１を変位させる。
【００１７】
下部切断部１１２は、かごドア２２Ａの戸閉方向端部から戸閉方向に突出する切断位置と、かごドア２２Ａの戸閉方向端部よりも戸開方向に配置される収納位置との間で変位する。図１では下部切断部１１２の位置が切断位置である状態を示し、図２では下部切断部１１２の位置が収納位置である状態を示している。
【００１８】
下部駆動部１２２は、かごドア２２Ａが閉位置と開位置との間で変位することによって、第１腕部１２６が回動部１２８を中心に回動し、第２腕部１２７が側壁２３側の端部を中心に回動する。これにより、第１腕部１２６と第２腕部１２７との接続部分における折曲角度が変化し、下部切断部１１２が切断位置と収納位置との間で変位する。言い換えれば、下部駆動部１２２は、かごドア２２Ａが閉位置と開位置との間で変位することによって、下部切断部１１２を切断位置と収納位置との間で変位させる。下部駆動部１２２は、かごドア２２Ａの位置が閉位置である場合に下部切断部１１２の位置を切断位置とし、かごドア２２Ａの位置が開位置である場合に下部切断部１１２の位置を収納位置とする。下部駆動部１２２は、かごドア２２Ａが閉位置と開位置との間で変位する動力を用いて、下部切断部１１２を変位させる。
【００１９】
図３は図１の上部切断部１１１を示す拡大図である。上部切断部１１１は、上部切断部１１１の位置が切断位置である場合に上方に向かうにつれて間口方向の寸法が狭くなる上方狭小スリット１１３が下端部から上方に延びて形成される上部刃支持部１１４と、上部切断部１１１の位置が切断位置である場合に上方狭小スリット１１３の上部に配置される上部刃１１５とを有している。上部刃１１５が配置されている上方狭小スリット１１３の部分の幅方向の寸法Ｌ１は、予め設定された寸法となっている。長尺異物３の径方向の寸法Ｌ２が寸法Ｌ１以下の場合に、上部切断部１１１は長尺異物３が切断可能となる。
【００２０】
図４は図３の上部刃１１５が配置されている上方狭小スリット１１３の部分の幅方向の寸法Ｌ１よりも長尺異物３の径方向の寸法Ｌ２が大きい状態を示す図である。長尺異物３の径方向の寸法Ｌ２が、上部刃１１５が配置されている上方狭小スリット１１３の部分の幅方向の寸法Ｌ１よりも大きい場合に、長尺異物３は上方狭小スリット１１３に挿入されるものの、長尺異物３は上部刃支持部１１４に当たり、長尺異物３は上部刃１１５に当たらない。これにより、上部刃１１５は長尺異物３を切断しない。上部刃１１５が配置されている上方狭小スリット１１３の部分の幅方向の寸法Ｌ１よりも径方向の寸法Ｌ２が大きい長尺異物３が上部刃支持部１１４に当たると、上部刃支持部１１４がかごドア２２Ａに対して上方に持ち上げられる。上部刃支持部１１４には、切断位置にある上部刃支持部１１４が長尺異物３によって持ち上げられたことを検出する図示しない検出スイッチが設けられている。切断位置にある上部刃支持部１１４が長尺異物３によって持ち上げられたことを検出スイッチが検出すると、検出スイッチの検出結果が図示しないエレベータ制御盤に送信され、かごが急停止するようになっている。
【００２１】
図５は図１の下部切断部１１２を示す拡大図である。下部切断部１１２は、下部切断部１１２の位置が切断位置である場合に下方に向かうにつれて間口方向の寸法が狭くなる下方狭小スリット１１６が上端部から下方に延びて形成される下部刃支持部１１７と、下部切断部１１２の位置が切断位置である場合に下方狭小スリット１１６の下部に配置される下部刃１１８とを有している。下部刃１１８が配置されている下方狭小スリット１１６の部分の幅方向の寸法Ｌ３は、予め設定された寸法となっている。寸法Ｌ３は、寸法Ｌ１と同一となっている。長尺異物３の径方向の寸法Ｌ２が寸法Ｌ３以下の場合に、下部切断部１１２は長尺異物３が切断可能となる。
【００２２】
図示していないが、長尺異物３の径方向の寸法Ｌ２が、下部刃１１８が配置されている下方狭小スリット１１６の部分の幅方向の寸法Ｌ３よりも大きい場合に、長尺異物３は下方狭小スリット１１６に挿入されるものの、長尺異物３は下部刃支持部１１７に当たり、長尺異物３は下部刃１１８に当たらない。これにより、下部刃１１８は長尺異物３を切断しない。下部刃１１８が配置されている下方狭小スリット１１６の部分の幅方向の寸法Ｌ３よりも径方向の寸法Ｌ２が大きい長尺異物３が下部刃支持部１１７に当たると、下部刃支持部１１７がかごドア２２Ａに対して下方に押し下げられる。下部刃支持部１１７には、切断位置にある下部刃支持部１１７が長尺異物３によって押し下げられたことを検出する図示しない検出スイッチが設けられている。切断位置にある下部刃支持部１１７が長尺異物３によって押し下げられたことを検出スイッチが検出すると、検出スイッチの検出結果がエレベータ制御盤に送信され、かごが急停止するようになっている。
【００２３】
次に、エレベータ長尺異物切断装置１の動作ついて説明する。図６は図１のかごドア２２が下降した状態を示す図である。かごドア２２Ａとかごドア２２Ｂとの間に長尺異物３が挟まれた状態で、かごが下降すると、かごドア２２Ａが下降する。これにより、長尺異物３はかごドア２２Ａに対して上昇する。長尺異物３の径方向の寸法Ｌ２が、上部刃１１５が配置されている上方狭小スリット１１３の部分の幅方向の寸法Ｌ１以下の場合には、長尺異物３が上部刃１１５に当たり、上部切断部１１１が長尺異物３を切断する。その結果、かごドア２２Ａとかごドア２２Ｂとの間に長尺異物３が挟まれる状態が解消する。一方、長尺異物３の径方向の寸法Ｌ２が、上部刃１１５が配置されている上方狭小スリット１１３の部分の幅方向の寸法Ｌ１よりも大きい場合には、かごが急停止する。
【００２４】
図７は図１のかごドア２２が上昇した状態を示す図である。かごドア２２Ａとかごドア２２Ｂとの間に長尺異物３が挟まれた状態で、かごが上昇すると、かごドア２２Ａが上昇する。これにより、長尺異物３はかごドア２２Ａに対して下降する。長尺異物３の径方向の寸法Ｌ２が、下部刃１１８が配置されている下方狭小スリット１１６の部分の幅方向の寸法Ｌ３以下の場合には、長尺異物３が下部刃１１８に当たり、下部切断部１１２が長尺異物３を切断する。その結果、かごドア２２Ａとかごドア２２Ｂとの間に長尺異物３が挟まれる状態が解消する。一方、長尺異物３の径方向の寸法Ｌ２が、下部刃１１８が配置されている下方狭小スリット１１６の部分の幅方向の寸法Ｌ３よりも大きい場合には、かごが急停止する。
【００２５】
以上説明したように、この発明の実施の形態１に係るエレベータ長尺異物切断装置１によれば、かごドア２２Ａの戸閉方向端部から戸閉方向に突出する切断位置とかごドア２２Ａの戸閉方向端部よりも戸開方向に配置される収納位置との間で変位する上部切断部１１１と、かごドア２２Ａの戸閉方向端部から戸閉方向に突出する切断位置とかごドア２２Ａの戸閉方向端部よりも戸開方向に配置される収納位置との間で変位し、上部切断部１１１よりも下方に配置される下部切断部１１２と、かごドア２２Ａの位置が閉位置である場合に上部切断部１１１の位置を切断位置とし、かごドア２２Ａの位置が開位置である場合に上部切断部１１１の位置を収納位置とする上部駆動部１２１と、かごドア２２Ａの位置が閉位置である場合に下部切断部１１２の位置を切断位置とし、かごドア２２Ａの位置が開位置である場合に下部切断部１１２の位置を収納位置とする下部駆動部１２２とを備え、上部切断部１１１は、かごが下降することによって長尺異物３を切断し、下部切断部１１２は、かごが上昇することによって長尺異物３を切断するので、長尺異物３がかごドア２２Ａの下端部以外の部分に挟まれた場合であっても長尺異物３を切断することができる。これにより、長尺異物３をより確実に切断することができる。
【００２６】
また、上部駆動部１２１は、かごドア２２Ａが閉位置と開位置との間で変位する動力を用いて、上部切断部１１１を変位させるので、新たな動力源を設置することなく、上部切断部１１１を変位させることができる。
【００２７】
また、下部駆動部１２２は、かごドア２２Ａが閉位置と開位置との間で変位する動力を用いて、下部切断部１１２を変位させるので、新たな動力源を設置することなく、下部切断部１１２を変位させることができる。
【００２８】
また、上部切断部１１１は、上部切断部１１１の位置が切断位置である場合に上方に向かうにつれて間口方向の寸法が狭くなる上方狭小スリット１１３が下端部から上方に延びて形成される上部刃支持部１１４と、上部切断部１１１の位置が切断位置である場合に上方狭小スリット１１３の上部に配置される上部刃１１５とを有しているので、長尺異物３の径方向の寸法Ｌ２が、上部刃１１５が配置されている上方狭小スリット１１３の部分の幅方向の寸法Ｌ１以下の場合にのみ、上部切断部１１１が長尺異物３を切断する。これにより、上部刃１１５が配置されている上方狭小スリット１１３の部分の幅方向の寸法Ｌ１を例えば利用者の手よりも小さい値に設定すると、利用者の手がかごドア２２Ａに挟まれた場合に、挟まれた手に上部刃１１５が当たることを防止することができる。
【００２９】
また、下部切断部１１２は、下部切断部１１２の位置が切断位置である場合に下方に向かうにつれて間口方向の寸法が狭くなる下方狭小スリット１１６が上端部から下方に延びて形成される下部刃支持部１１７と、下部切断部１１２の位置が切断位置である場合に下方狭小スリット１１６の下部に配置される下部刃１１８とを有しているので、長尺異物３の径方向の寸法Ｌ２が、下部刃１１８が配置されている下方狭小スリット１１６の部分の幅方向の寸法Ｌ３以下の場合にのみ、下部切断部１１２が長尺異物３を切断する。これにより、下部刃１１８が配置されている下方狭小スリット１１６の部分の幅方向の寸法Ｌ３を例えば利用者の手よりも小さい値に設定すると、利用者の手がかごドア２２Ａに挟まれた場合に、挟まれた手に下部刃１１８が当たることを防止することができる。
【００３０】
なお、上記実施の形態１では、両開き型のエレベータドア装置に取り付けられるエレベータ長尺異物切断装置の構成について説明したが、片開き型のエレベータドア装置に取り付けられるエレベータ長尺異物切断装置であってもよい。
【００３１】
また、上記実施の形態１では、エレベータドアが閉位置と開位置との間で変位する動力を用いて駆動装置が切断装置を変位させる構成について説明したが、駆動装置がエレベータドアとは別体の動力源を有し、この動力源を用いて駆動装置が切断装置を変位させる構成であってもよい。
【符号の説明】
【００３２】
１  エレベータ長尺異物切断装置、２  エレベータドア装置、３  長尺異物、１１  切断装置、１２  駆動装置、２１  かご出入口、２２、２２Ａ、２２Ｂ  かごドア、２３  側壁、１１１  上部切断部、１１２  下部切断部、１１３  上方狭小スリット、１１４  上部刃支持部、１１５  上部刃、１１６  下方狭小スリット、１１７  下部刃支持部、１１８  下部刃、１２１  上部駆動部、１２２  下部駆動部、１２３  第１腕部、１２４  第２腕部、１２５  回動部、１２６  第１腕部、１２７  第２腕部、１２８  回動部。
【図１】
2017190217.tif 000003
【図２】
2017190217.tif 000004
【図３】
2017190217.tif 000005
【図４】
2017190217.tif 000006
【図５】
2017190217.tif 000007
【図６】
2017190217.tif 000008
【図７】
2017190217.tif 000009